(57)【要約】【課題】  推進機をもたないサーフボードや小型ボートのような小型のスポーツや遊戯に好適する水上乗り物に対し、任意に浮力補助体を備える推進機を着脱自在に装着し、サーフボードの波乗りのような従来の楽しみ方に加え、浮力補助体を利用した推進機による近場への移動及び推進の楽しみ方に適合し得るためのアタッチメントを備えた小型水上乗り物に着脱自在に装着する推進機を提供したい。【解決手段】  水乗り物に着脱自在とする装着機構８を備える推進機であって、水上乗り物に装着機構８…を介して着脱自在に取付けられる本体１と、本体に取り付けられる推進機１２及び該本体に取り付けられる浮力補助体１１とからなることを特徴とする小型水上乗り物の推進機。【選択図】      図８
2005280624.tif 000002
【特許請求の範囲】
【請求項１】
水上乗り物に着脱自在とする装着機構を備える推進機であって、
前記水上乗り物に装着機構を介して着脱自在に取付けられる本体と、
前記本体に取り付けられる推進部及び該本体に取り付けられる浮力補助体と、
からなることを特徴とする小型水上乗り物の推進機。
【請求項２】
前記本体に取り付けられる浮力補助体は、前記本体に対して前後方向に位置調整可能としたことを特徴とする請求項１記載の小型水上乗り物の推進機。
【請求項３】
前記本体に取り付けられる浮力補助体は、左右方向に位置調整可能としたことを特徴とする請求項１または請求項２記載の小型水上乗り物の推進機。
【請求項４】
前記本体に取り付けられる浮力補助体は、該本体に対して回動機構を介して揺動可能に取り付けられていることを特徴とする請求項１〜請求項３何れかに記載の小型水上乗り物の推進機。
【発明の詳細な説明】
【技術分野】
【０００１】
本発明は、小型水上乗り物に着脱自在に装着し、フロートのような浮力補助体を有する推進機に関するものである。
【背景技術】
【０００２】
小型水上乗り物にフロートを設置し、小型水上乗り物の浮力を補助するようにした浮力補助装置は従来知られている（例えば、特許文献１参照。）。
【特許文献１】米国特許第３２９４０５５号
【０００３】
特許文献１は、推進機を固定して設けた小型の水上乗り物の艇体の左右に延出するようにフロート(浮力補助体)を配設し、左右のフロートは艇体に枢着されたアームの両端部に取り付けられている。
【０００４】
以上の従来の小型水上乗り物に設けた浮力補助体は、艇体に一体的に組付けられており、艇全体の運動性は固定的であり、艇体の推進機をもたない運動、あるいは推進機をもった運動の選択ができない。
【発明の開示】
【発明が解決しようとする課題】
【０００５】
本発明は、推進機をもたないサーフボードや小型ボートのような小型のスポーツや遊戯に好適する水上乗り物に対し、任意に浮力補助体を備える推進機を着脱自在に装着し、サーフボードの波乗りのような従来の楽しみ方に加え、浮力補助体を利用した推進機による楽しみ方に適合し得るためのアタッチメントを備えた小型水上乗り物に着脱自在に装着する推進機を提供することを課題とする。
【課題を解決するための手段】
【０００６】
請求項１に係る発明は、水上乗り物に着脱自在とする装着機構を備える推進機であって、前記水上乗り物に装着機構を介して着脱自在に取付けられる本体と、前記本体に取り付けられる推進部及び該本体に取り付けられる浮力補助体とからなることを特徴とする。
【０００７】
請求項２に係る発明は、請求項１において、本体に取り付けられる浮力補助体は、本体に対して前後方向に位置調整可能としたことを特徴とする。
【０００８】
請求項３に係る発明は、請求項１または請求項２において、前記本体に取り付けられる浮力補助体は、左右方向に位置調整可能としたことを特徴とする。
【０００９】
請求項４に係る発明は、請求項１〜請求項３の何れかにおいて、本体に取り付けられる浮力補助体は、該本体に対して回動機構を介して揺動可能に取り付けられていることを特徴とする。
【発明の効果】
【００１０】
請求項１に係る発明では、装着機構を介して水上乗り物に着脱自在に取付けられる本体に推進部及び浮力補助体を取り付けたので、サーフボードやウインドサーフィン等の遊技用の浮体に着脱自在に推進機を取付け、サーフボード等の従来の自然力や人力による楽しみ方に加え、サーフボード等に原動機で駆動される推進部の推進による近場への移動に際しての利便性の向上や推進による新たな楽しみ方もでき、サーフボードやウインドサーフィン等の遊びのバリエーションを増やすことができる、という利点がある。
特に本発明は、浮力補助体が推進機に取り付けられているので、推進しつつ重心を移動させ、浮力とバランスをとる際の感覚を、乗り手の好みに合わせて調整することができ、且つ推進しつつ左右に揺らせて重心移動による舵取り遊びが行える。
【００１１】
さらに推進機はサーフボード等に着脱自在に取り付けるので、従来のサーフボード側や浮体に変更を加えること無く、推進機による水遊びを実現することができ、推進機を取り外すことで従来の人力や自然力による波乗りその他の水上遊びを行うことができる、という利点がある。
さらにまた、サーフボードやボート等の小型の水上乗り物と浮力補助体を備える推進機とを分離、分解することができるので、推進機の運搬性が向上する、という利点もある。
【００１２】
請求項２に係る発明では、本体に取り付けられる浮力補助体を前後方向に位置調整可能としたので、請求項１の効果に加えるに、サーフボード等の浮力体の浮力中心の前後方向への移動が可能となり、推進しつつ前後方向への重心を移動させ、浮力とバランスをとる際の感覚を乗り手の好みに合わせて調整することができる。
【００１３】
請求項３に係る発明では、本体に取り付けられる浮力補助体を左右方向に位置調整可能としたので、請求項１または請求項２の効果に加えるに、サーフボード等の浮力体の浮力中心の左右方向への調整が可能となり、左右方向への重心を移動させ、浮力とバランスをとる際の感覚を乗り手の好みに合わせて調整することができる。
【００１４】
請求項４に係る発明では、本体に取り付けられる浮力補助体は、本体に対して回動機構を介して揺動可能に取り付けられているので、請求項１〜請求項３の何れかの効果に加えるに、水面の変化に浮力補助体は追従することができ、水面の変化に対し浮力補助体の追従運動が可能となる。
【発明を実施するための最良の形態】
【００１５】
本発明を実施するための最良の形態を添付図に基づいて以下に説明する。なお、図面は符号の向きに見るものとする。
図１は、本発明に係る小型水上乗り物の推進機本体の斜視図で、浮力補助体を取り付けた状態の図である。
【００１６】
推進機本体１は各構成要素をパイプ材等で形成し、左右の部材２，２これの前部間に架設した前部クロス部材３、後部間に架設した後部クロス部材４を備える。
左右の部材２，２の各後端部は上方にＬ形に起立し、起立させた後端部２ａ，２ａ間に横長で、概ね垂直に配置され、板状部材を架設、固着し、推進部の装着部５を構成する。
【００１７】
左右の部材２，２の中間部〜後部間には支持板６を架設し、支持板６には平面視コ形ので、左右対称形状の左右の補助枠７，７を左右対称的に配置する。
左右の補助枠７，７に浮力補助体１１，１１を前後方向を向いて取付、支持する。
本体１の左右の部材２，２の下面で、前後のクロス部材３，４の両端部との４カ所の結合部近傍には、吸盤８…(…は複数を現わす。以下同じ）を垂下、突設する。
【００１８】
図２は、小型水上乗り物の推進機の本体の平面図で、図１の平面図であり、図３は同側面図であり、図４は同正面図である。
これらの図２〜図４と、前述の図１とを参照しつつ、詳細に説明する。
【００１９】
本体１の左右の部材２，２は前部間の間隔が大きく、後部間の間隔が順に小さくなるように形成され、後部が幅狭に形成されている。
その理由は、本体を取り付けるサーフボードや艇体等の浮体の平面形状に概ね沿うように前部が幅広で、後部を幅狭とした。
前後の幅は任意であり、前後で幅を同じ、或いは略々同じにしても良い。
【００２０】
前部のクロス部材３は上方に弯曲した形状とし、前部が幅広で、後部が幅狭の板状の支持材の両側端部を曲げ６，６ａ、図１で理解し得るように、左右の部材２，２の両外側上部に重ね、溶接等て一体結合したものである。
【００２１】
左右の補助枠７，７はパイプ材等で形成され、各外側方に開いた対称形状のコ形をなし、支持板６の左右方向中間部に配置され、左右に離間する前後を向く縦杆部７ａ，７ａと、該杆部７ａ，７ａの前後端部から外側方に延びる前後の横杆部７ｂ，７ｃとを夫々備える。
前後の横杆部７ｂ，７ｃの縦杆部７ａ，７ａの各外側に隣接して、前後の横杆部７ｂ，７ｃを繋ぐ前後方向を向く補助杆部７ｄを各補助枠７，７は備える。
【００２２】
図５は、補助枠の縦杆部を揺動自在に支持板に支持する構造を示す要部の拡大斜視図である。
前記した図を参照しつつ説明すると、各補助枠７，７の各縦杆部７ａ、７ａを支持板６への支持構造は、各縦杆部７ａの中間部の前後を、前後に離間した２カ所の逆凹型の支持金具９，９で揺動自在に支持する。
この縦杆部７ａ、７ａを支持板６に支持する支持金具９，９とで、補助枠７，７に支持される浮力補助体１１，１１の回動機構を構成する。
【００２３】
ところで、支持板６には、前記支持金具９，９を取り付ける取付孔６ｂ…を、左右の補助枠７，７の縦杆部７ａ，７ａの左右の前後方向に所定ピッチで複数箇所設けた。
これにより、支持金具９，９を取り付ける取付孔６ｂ…の選択で、後述する規制杆７ｅ，７ｆで決定される縦杆部７ａ，７ａの位置が前後し、これにより、補助枠７，７の前後方向に位置が調節でき、補助枠７，７で支持される後述する浮力補助体１１，１１の前後の位置が調節することができることとなる。
【００２４】
各縦杆部７ａの支持金具９，９で支持した前後の部分には、規制杆７ｅ，７ｆを支持板６内方に上傾して突設し、一方、例えば後部のもの７ｆには縦杆部７ａの一部に巻き回したトーションバネ１０の一端部１０ａを係止し、他端１０ｂをこの側の支持金具９に係止し(図５参照）、各縦杆部７ａ、７ａで回動する補助枠７，７の戻りバネとする。
【００２５】
以上の各補助枠７，７の前後の横杆部７ｂ，７ｃ間にはフロート等の浮力補助体１１，１１を各連結する。
浮力補助体１１，１１は前後方向に長さを有する。該浮力補助体の前後の部分には、横杆部７ｂ，７ｃに孔を介して通す連結部１１ａ，１１ｂを夫々備え、連結部１１ａ，１１ｂの端部に締結ネジ１１ｃ，１１ｃを備える。
【００２６】
上記した連結部１１ａ，１１ｂの孔を介して左右の補助枠７，７の前後の横杆部７ｂ，７ｃ間に通し、前後の横杆部７ｂ，７ｃの左右方向の位置を調節し、締結ネジ１１ｃ，１１ｃを締付けることで浮力補助体１１，１１の前後の横杆部７ｂ，７ｃの所定の位置に締結する。
尚、締結ネジ１１ｃ，１１ｃを緩めることで浮力補助体１１，１１は横杆部７ｂ，７ｃの長さ方向(左右方向)に移動可能となり、浮力補助体１１，１１の位置調節を行なうことができる。
【００２７】
図６及び図７は、浮力補助体１１，１１を支持する補助枠７，７の部分の縦断正面図で、図６は通常状態を、図７は補助枠の回動を説明するため、一方の補助枠を回動させた状態を示した図である。
吸盤８…を介して浮体である、例えばサーフボード２０上に、本体１は左右の部材２，２の４カ所が取付、支持される。
【００２８】
図６は補助枠７，７が浮体２０の上面に概ね平行で、水平状態にあり、補助枠７，７は、前記した通り縦杆部７ａ，７ａの部分で回動機構により揺動自在であり、図７の左側のように戻りバネの付勢に反して矢印方向(上傾方向）に回動することができる。揺動限は規制杆７ｆ，７ｅが支持板６の上面に当接することで決定される。
【００２９】
図８は、浮力補助体１１，１１を取り付けた本体１に推進部１２を取り付ける状態を説明する斜視図であり、推進部１２を取り付ける直前の状態を示す図である。
推進部１２は船外機で構成し、船外機１２は小出力の形式で、エンジン、燃料タンク等を上方から覆うエンジンカバー１２ａ、下方から覆うアンダーカバー１２ｂ、下方に延出されたエクステンションケース１２ｃ、下部のギヤケース１２ｄ、これに設けられたプロペラ１３を備える。
エクステンションケース１２ｃの外周部を摺動可能な状態で、その前側にスターンブラケット１４が設けられ、スターンブラケット１４を本体１の最後部に設けた装着部５に矢印で示す通り上から挟み込み、締結部材１４ａ，１４ａで締付け、推進機１２を本体１の最後尾に装着する。
【００３０】
図９は、推進部１２を装着した推進機本体１をサーフボード２０に着脱自在に取付けた状態を示す斜視図である。
本体１は、前記したように四隅の吸盤８…でサーフボード２０の後半部２０ａの上面に着脱自在に結合する。
【００３１】
本体１に取り付けた左右の浮力補助体１１，１１は、補助枠７，７が前記した通り前後方向に位置調節可能である。
また左右の浮力補助体１１，１１は、補助枠７，７の縦杆部７ａ，７ａを介して揺動自在である。さらに、左右の浮力補助体１１，１１は、前後の横杆部７ａ，７ｂの部分で左右方向に位置調整可能である。
以上により、サーフボード２０に、推進部１２を装着した本体１を、吸盤８…を介して着脱自在に取り付け、推進部１２を有する推進機で推進するサーフボード２０として操縦する。
【００３２】
図１０は、推進機を取り付けた状態でサーフボード遊びを行なう状態を示す説明的側面図である。
サーフボード２０の後部には、推進機本体１を介して推進部１２が設置されている状態となり、推進部１２の推進力でサーフボード２０は推進することができる。
従って、波乗り遊びに際し、推進部１２の推進力を併用して近場に移動することができ、推進部１２の推進力を利用できるので、波乗り点に迅速に移動することもできる。
【００３３】
図１１は、水上乗り物による水上遊びで艇体を傾けた操船状態を示す説明図であり、図１２は図１０の状態の説明図である。
図１２のように、艇体２０を傾けることで、傾けた方の浮力補助体１１Ａは、前記した揺動自在に支持されていることと、浮力により、水面に浮いた状態となり、浮力補助体１１Ａの回動は規制杆７ｆで規制される。
そして、艇体２０が傾いて図の左半が水没しても、艇体２０のそれ以上の傾斜は規制され、浮力は維持される。
反対側の浮力補助体１１Ｂは、艇体２０の上面と平行な状態に保持される。
図の反対側に傾いた際は、図の状態とは逆となる。
【００３４】
図１２は、艇体２０を通常の姿勢としたものである。
艇体２０は、艇体２０上に取り付けた本体１の左右の突出する浮力補助体１１，１１が水面に臨み、これの浮力で概ね水平な状態を維持する。
【００３５】
尚、本発明は、実施の形態ではサーフボードに装着したが、ウインドサーフィン等のその他の小型の艇体に装着することが可能である。
また着脱自在な装着機構として吸盤を用いたが、艇体への着脱自在な装着機構はこれに限られない。
水上乗り物の形態によっては、吸盤以外の装着機構を採用することもあり、例えばセールやマスト部が着脱自在のウインドサーフィンボードにおいては、既設の雌雄の装着機構を利用し、相手側の装着具を利用することも可能であり、装着機構は上記した吸盤に限られない。
また実施の形態では推進部（推進装置）として船外機を用いたが、船外機に代えウオータジェットポンプとすることも可能である。
また、補助枠の前後位置調整手段であるが、縦幹部７ａを伸縮構造としても良く、また、浮力補助体の位置調整手段も上記手段に限られない。
【産業上の利用可能性】
【００３６】
本発明に係る小型水上乗り物の推進機は、サーフボードやウインドサーフィン、その他の小型の水上乗り物に好適である。
【図面の簡単な説明】
【００３７】
【図１】本発明に係る小型水上乗り物の推進機の本体の斜視図で、浮力補助体を取り付けた状態の図である。
【図２】小型水上乗り物の推進機の本体の平面図で、図１の平面図である。
【図３】図２の側面図である。
【図４】図２の正面図である。
【図５】補助枠の縦杆部を揺動自在に支持板に支持する構造を示す要部の拡大斜視図である。
【図６】浮力補助体を支持する補助枠の部分の縦断正面図で、図６は通常状態を示す図である。補助枠の回動を説明するため、一方の補助枠を揺動させた状態を示した図である。
【図７】補助枠の回動を説明するため、一方の補助枠を回動させた状態を示した図である。
【図８】浮力補助体を取り付けた本体に推進機を取り付ける状態を説明する斜視図であり、推進部を取り付ける直前の状態を示す図である。
【図９】推進部を装着した推進機本体をサーフボードに着脱自在に取付けた状態を示す斜視図である。
【図１０】推進機を取り付けた状態でサーフボード遊びを行なう状態を示す説明的側面図である。
【図１１】水上乗り物による水上遊びで艇体を傾けた操船状態を示す説明図である。
【図１２】図１０の状態と同様に艇体が正常姿勢の説明図である。
【符号の説明】
【００３８】
１…本体、  ７ａ，９…回動機構、  ８…着脱自在に装着機構、９，６ｂ…前後方向に位置調整機構、  １１…浮力補助体、  ７ｂ，７ｃ，１１ａ，１１ｂ…浮力補助体の左右位置調整機構、  １２…推進機、  ２０…水上乗り物。
【図１】
2005280624.tif 000003
【図２】
2005280624.tif 000004
【図３】
2005280624.tif 000005
【図４】
2005280624.tif 000006
【図５】
2005280624.tif 000007
【図６】
2005280624.tif 000008
【図７】
2005280624.tif 000009
【図８】
2005280624.tif 000010
【図９】
2005280624.tif 000011
【図１０】
2005280624.tif 000012
【図１１】
2005280624.tif 000013
【図１２】
2005280624.tif 000014